(57)【特許請求の範囲】
【請求項１】
木杭(1)の上部側にコンクリート杭(2,2a,2c)を連結または相互に結合して形成される基礎用杭の施工方法であって、
木杭(1)とコンクリート杭(2,2a,2c)の軸線を連結部または結合部において同軸直線上に合わせる手段と、木杭(1)とコンクリート杭(2,2a,2c)との間に充填され、コンクリート杭(2,2a,2c)の下端面(23)からの荷重を木杭(1)の上端面(10)に伝えることができる流動性を有する充填材と、コンクリート杭(2,2a,2c)の下端部に設けられ、充填材が充填部から流出するのを防止する管体を備えており、
基礎用杭は、木杭(1)を地面に垂直に打ち込み、木杭(1)の上端面(10)に適量の充填材を盛り、木杭(1)とコンクリート杭(2,2a,2c)の軸線を連結部または結合部において同軸直線上に合わせ、コンクリート杭(2,2a,2c)の下端部に設けた管体を木杭(1)の上端部に当該木杭(1)の周りを削りながらややきつく嵌め入れるか、またはコンクリート杭(2,2a,2c)の下端部に設けた管体の先端側を木杭(1)の上端面(10)に打ち込むことで、充填材を管体内で実質的に密封してコンクリート杭(2,2a,2c)を木杭(1)に垂直に接合する、
基礎用杭の施工方法。
【請求項２】
木杭(1)の上部側にコンクリート杭(2b)を連結または相互に結合して形成される基礎用杭の施工方法であって、
木杭(1)とコンクリート杭(2b)の軸線を連結部または結合部において同軸直線上に合わせる手段と、木杭(1)とコンクリート杭(2b)との間に充填され、コンクリート杭(2b)の下端面(23)からの荷重を木杭(1)の上端面(10)に伝えることができる流動性を有する充填材と、コンクリート杭(2b)の下端面(23)に接着等により固着され、充填材が充填部から流出するのを防止する流出防止具を備えており、
基礎用杭は、木杭(1)を地面に垂直に打ち込み、木杭(1)の上端面(10)に適量の充填材を盛り、木杭(1)とコンクリート杭(2b)の軸線を連結部または結合部において同軸直線上に合わせ、コンクリート杭(2b)の下端面(23)に固着した流出防止具の先端側を木杭(1)の上端面(10)に打ち込むことで、充填材を流出防止具内で実質的に密封してコンクリート杭(2b)を木杭(1)に垂直に接合する、
基礎用杭の施工方法。
【請求項３】
充填材は、最初は流動性があり後に硬化または固化するものである、
請求項１または２記載の基礎用杭の施工方法。
【発明の詳細な説明】
【０００１】
【発明の属する技術分野】
本発明は基礎用杭の施工方法に関するものである。更に詳しくは、地中に打ち込むときに下部の木杭が斜めになりにくいようにすると共に、施工初期から十分な耐圧力を発揮できるようにした基礎用杭の施工方法に関する。
【０００２】
【従来技術】
地盤の軟らかな土地に家などの構造物を建てる場合には、地盤に構造物を支えることができる強度を付与する必要がある。基礎部分を支える杭をあらかじめ地中に打ち込む施工もその方法の一つである。
打ち込まれる杭は、木杭、コンクリート杭あるいは金属杭などいくつかの種類があるが、耐久性と費用のバランスの面から、下部側に木杭を使用し、上部側にコンクリート杭を使用する複合杭が広く普及している。
【０００３】
このような複合杭は、地中に打ち込んだ状態では、水分が多く微生物が活動しにくい地中の深い部分に木杭が位置しており、水分が少なく微生物が活動しやすい地面近くにコンクリート杭が位置することになる。
つまり、木杭は微生物が活動しにくいため長期にわたり腐食しにくく、コンクリート杭は微生物が活動しても、それに対する十分な耐腐食性を備えている。
このように、杭の大部分に安価な木杭を使用することにより、杭のトータルコストが安価になり、しかも全体をコンクリート杭にした場合と遜色のない耐久性が得られる。
【０００４】
上記複合杭の地中への打ち込み施工は次のように行われている。
1.  所要の長さに切ってあり、下端部が尖らせてある木杭（通常は、松の木（松杭））の上端部に、コンクリート杭の下端部に設けられている金属製の心棒を挿入する心孔を形成する。
2.  構造物の基礎に対応する所定の箇所に木杭を立て、バイブレータで振動させながら垂直に打ち込み、木杭の上端部側が一部地面から出た状態で打ち込みを停止する。
3.  心棒を心孔に挿入して、木杭にコンクリート杭を垂直に接合し、同様にバイブレータで振動させながら、所要の深さまでコンクリート杭を打ち込む。
【０００５】
【発明が解決しようとする課題】
しかし、上記したような従来の構造物の基礎用杭及びその施工方法には、次のような課題があった。
すなわち、木杭は、松などの自然木を切り出して成形したものであり、木杭の軸線方向と切断面である上端面は、必ずしも直角にはなっていない。このため、木杭を地面に打ち込むときに垂直に立てたとしても、木杭の上端面は地面と平行になっていないことが多い。
【０００６】
この場合は、上記3.の工程で木杭にコンクリート杭を接合するときに、木杭の上端面がコンクリート杭の下端面と平行にならず、一部しか接触しなくなる（図９（ａ）参照）。この状態で、コンクリート杭で押しながら木杭を地中に打ち込むと、木杭の上端面にかかるコンクリート杭による荷重が偏ってしまい、下部側の木杭が地中で斜めに傾いてしまうことが想定される（地中に打ち込まれており、確認はできない（図９（ｂ）参照））。木杭が傾くと、地面に打ち込むにつれて、コンクリート杭も木杭に先導されて傾く可能性があり、複合杭全体としての耐圧力も低くなる。また、コンクリート杭が斜めになると、コンクリート杭の上端面が地面と平行にならないので、基礎との接合部に補修作業が必要になる場合もある。
【０００７】
また、特に複合杭を地中に打ち込んだ後で、コンクリート杭の下端面と木杭の上端面が依然として密着していないようであれば、基礎施工後に構造物の大きな荷重がかかったときに、木杭の上端面がコンクリート杭の下端面と全面で圧接されるまで変形し、その変形差分によって、施工後比較的早い段階で基礎の傾きや沈下が起こる可能性が高い。
【０００８】
（本発明の目的）
本発明の目的は、下部側に木杭を使用し上部側にコンクリート杭を使用した構造物の基礎用杭を地面に打ち込むときに、木杭とコンクリート杭が地中で斜めになることなく、垂直方向へ確実に打ち込むことができるようにすることである。
【０００９】
本発明の他の目的は、木杭の上端面がコンクリート杭の下端面からの荷重を確実に面で受けることができるようにして、強度が弱い木杭の上端面の変形を防止することにより、十分な耐圧力を発揮できるようにし、特に施工後の早い段階での基礎の傾きや沈下を防止することである。
【００１０】
【課題を解決するための手段】
上記目的を達成するために講じた本発明の手段は次のとおりである。
第１の発明にあっては、
木杭の上部側にコンクリート杭を連結または相互に結合して形成される基礎用杭の施工方法であって、
木杭とコンクリート杭の軸線を連結部または結合部において同軸直線上に合わせる手段と、木杭とコンクリート杭との間に充填され、コンクリート杭の下端面からの荷重を木杭の上端面に伝えることができる流動性を有する充填材と、コンクリート杭の下端部に設けられ、充填材が充填部から流出するのを防止する管体を備えており、
基礎用杭は、木杭を地面に垂直に打ち込み、木杭の上端面に適量の充填材を盛り、木杭とコンクリート杭の軸線を連結部または結合部において同軸直線上に合わせ、コンクリート杭の下端部に設けた管体を木杭の上端部に当該木杭の周りを削りながらややきつく嵌め入れるか、またはコンクリート杭の下端部に設けた管体の先端側を木杭の上端面に打ち込むことで、充填材を管体内で実質的に密封してコンクリート杭を木杭に垂直に接合する、
基礎用杭の施工方法である。
【００１１】
第２の発明にあっては、
木杭の上部側にコンクリート杭を連結または相互に結合して形成される基礎用杭の施工方法であって、
木杭とコンクリート杭の軸線を連結部または結合部において同軸直線上に合わせる手段と、木杭とコンクリート杭との間に充填され、コンクリート杭の下端面からの荷重を木杭の上端面に伝えることができる流動性を有する充填材と、コンクリート杭の下端面に接着等により固着され、充填材が充填部から流出するのを防止する流出防止具を備えており、
基礎用杭は、木杭を地面に垂直に打ち込み、木杭の上端面に適量の充填材を盛り、木杭とコンクリート杭の軸線を連結部または結合部において同軸直線上に合わせ、コンクリート杭の下端面に固着した流出防止具の先端側を木杭の上端面に打ち込むことで、充填材を流出防止具内で実質的に密封してコンクリート杭を木杭に垂直に接合する、
基礎用杭の施工方法である。
【００１２】
第３の発明にあっては、
充填材は、最初は流動性があり後に硬化または固化するものである、
第１または第２の発明に係る基礎用杭の施工方法である。
【００１３】
木杭としては、通常は、比較的安価で腐食しにくい松の木が使用されるが、これに限定するものではなく、杉など他の種類の木を使用することもできる。
充填材としては、接着材の他、木杭の上端面とコンクリート杭の下端面との間に介在して、コンクリート杭の下端面からの荷重を木杭の上端面に伝えることができるものであれば特に限定するものではない。
【００１４】
また、接着材としては、例えば1.セメントを砂や砂利、水などと混和したもの（いわゆる、生コンクリートやモルタル状のもの）、2.ゴムあるいはアセチルセルロースなどを有機溶材の混合物に溶かした溶液型接着材、3.溶液のなかでも古くからのデンプン糊や膠のように水に溶かした水溶液型接着材、4.酢酸ビニルのような水に溶けない高分子がコロイド状に水と混合して懸濁しているエマルジョン型接着材、5.常温では固体であるが、所要の温度で軟化し、更に温度を上げると接着に十分な流動性を持つようになる線状高分子の共重合物、例えばエチレン酢酸ビニル共重合物のようなものの熱可塑性を利用するホットメルト型接着材などである。
この中でも、1.のセメントを砂や砂利、水などと混和したものは、固化後は耐圧力性に極めて優れ、取り扱いや作業の容易性あるいはコストの面においても優れているので最も好適であるが、これに限定するものではない。
【００１５】
流出防止具としては、接着材などの充填材が充填部分から外部へ流出しないようにすることができれば特に限定するものではない。例えば1.木杭とコンクリート杭の接合部のうち、一方側に、他方側に外嵌できる管体を設けた構造（上記軸合わせ手段の2.と同様）、2.木杭とコンクリート杭の接合面のうち、コンクリート杭側に、木杭側の面に圧入できる管体を設けた構造などである。
【００１６】
木杭とコンクリート杭の軸線を連結部または結合部において同軸直線上に合わせる手段としては、例えば、1.木杭とコンクリート杭の接合面のうち、一方側に挿入孔を設け、他方側に挿入孔に挿入する突出体を設けた構造、2.木杭とコンクリート杭の接合部のうち、一方側に、他方側に外嵌できる管体を設けた構造、3.木杭とコンクリート杭の接合面のうち、一方側に、他方側に突き刺し可能な突出体を設けた構造などであるが、これらに限定はされない。
【００１７】
（作用）
本発明に係る基礎用杭の施工方法は、次のように作用する。
基礎用杭は、木杭とコンクリート杭の軸線方向が同じになるので、基礎用杭を地面に打ち込むときには、コンクリート杭の下端面と木杭の上端面が平行でない場合でも、木杭やコンクリート杭が地中で斜めに傾いてしまうことを防止でき、基礎用杭を地面に対しほぼ垂直に打ち込むことができる。
【００１８】
また、管体または流出防止具によって、充填材が充填部から流出するのを防止することができるので、コンクリート杭の下端面からの荷重を充填材を介して木杭の上端面にほぼ均等に伝えることができる。これにより、充填材を介在させない従来の構造と相違して、木杭にコンクリート杭を連結または相互に結合して打ち込むときに、木杭の上端面にかかるコンクリート杭による荷重が偏ってしまうことがなく、木杭やコンクリート杭が地中で斜めに傾いてしまうことを防止できる。
【００１９】
更には、基礎用杭を地中に打ち込んだ後も、コンクリート杭の下端面と充填材の上下端面及び木杭の上端面は互いに密着し、木杭の上端面にはほぼ均等に荷重がかかるので、基礎施工後に構造物の大きな荷重がかかっても、木杭の上端面が変形しにくい。これにより、木杭の変形による、施工後比較的早い段階で基礎の傾きや沈下が起こることを防止できる。
【００２０】
基礎用杭は、木杭とコンクリート杭の軸線を連結部または結合部において同軸線上に合わせることができるので、基礎用杭を地面に打ち込むときに、相互の位置がずれない。これにより施工がより確実にできる。
【００２１】
充填材は、最初は流動性があり、後に硬化または固化するものであるので、充填するときの作業性に優れ、充填材がコンクリート杭の下端面と木杭の上端面に馴染みやすい。また、充填材が硬化または固化した後の耐圧力性に特に優れており、基礎用杭としての性能を長期にわたり維持することができる。
【００２２】
【発明の実施の形態】
本発明を図面に示した実施の形態に基づき更に詳細に説明する。
図１は本発明に係る基礎用杭の第１の実施の形態を示す分解斜視図、
図２は図１に示す基礎用杭を構成するコンクリート杭の下端部の構造を示す要部斜視図である。
【００２３】
符号Ａ１は、基礎用杭で、木杭１とコンクリート杭２により構成されている。  木杭１は、松の木を所要の長さに切断したもので、所要の直径を有している。木杭１は、先端側がやや細くなっており、先端部は尖らせてある。また、木杭１の上端面１０の中心部には、軸合わせ手段を構成する所要の内径及び深さを有する挿入孔１１が設けられている。挿入孔１１には、後述するコンクリート杭２の心棒２２が挿入される。なお、木杭１の上端部の直径は、後述するコンクリート杭２の管体２１の内径とほぼ同じ径に設定されている。
【００２４】
コンクリート杭２は、円柱形状に成形されている。コンクリート杭２は、本体２０と、流出防止具である管体２１と、軸線を木杭と同軸線上に合わせる手段である心棒２２により構成されている。
【００２５】
本体２０の下端部には、金属製で円管状の管体２１が固定されている。管体２１の外周面は、本体２０の外周面と面一に設けられている。本体２０の下端面２３の中心部には、心棒２２が本体２０の軸線方向と平行に設けられている。なお、本実施の形態においては、心棒として鉄製の異形筋が使用されているが、他の材料を採用することもできる。
そして、木杭１とコンクリート杭２の接合部に充填される充填材としては、適量のセメントと砂と水を混練したモルタルが使用されている。
【００２６】
（作用）
図３は図１に示す基礎用杭の施工方法を示す説明図である。図３（ａ）は打ち込まれた木杭の上端面にモルタルを盛り、コンクリート杭を接合している状態を示しており、図３（ｂ）は両杭を接合して地面に打ち込んでいる状態を示している。
図１ないし図３を参照して、本実施の形態に係る基礎用杭の作用を説明する。  構造物の基礎に対応する所定の箇所に、基礎用杭Ａ１を構成する木杭１をバックホーのアタッチメントでつかんで立て、バイブレータで振動させながら地面に垂直に打ち込む。木杭１の上端部側が、一部地面から出ている（露出している）状態で打ち込みを停止する。
アタッチメントを木杭１から外し、木杭１の上端面１０に適量のモルタル３を盛っておく（図３（ａ）参照）。
【００２７】
基礎用杭Ａ１を構成するコンクリート杭２をバックホーのアタッチメントでつかみ、心棒２２を木杭１の挿入孔１１に挿入して（図３（ａ）参照）、管体２１を木杭１の上端部に、周りを削りながらややきつく嵌め入れてコンクリート杭２を垂直に接合する。そして、木杭１の場合と同様にバイブレータで振動させながら、所要の深さまでコンクリート杭２を打ち込む（図３（ｂ）参照）。
なお、心棒２２を挿入孔１１に挿入して、木杭１とコンクリート杭２を接合することにより、木杭１とコンクリート杭２の軸線を同軸線上に合わせることができる。これにより、基礎用杭Ａ１を地面に打ち込むときに、相互の位置がずれないので、施工がより確実にできる。
【００２８】
また、モルタル３は最初は流動性があるので、基礎用杭Ａ１を地面に打ち込むときには、コンクリート杭２の下端面２３と木杭１の上端面１０によく馴染み、それぞれは互いに密着している。しかも、モルタル３は管体２１内で実質的に密封されており、外部へはほとんど流出することがない。従って、荷重がかかったときの圧力も逃げにくいので、コンクリート杭２の下端面から木杭１の上端面へ荷重が確実に伝わる。
これにより、コンクリート杭２の下端面２３と木杭１の上端面１０が平行でない場合でも、コンクリート杭２の下端面２３からの荷重をモルタル３を介して木杭１の上端面１０にほぼ均等に伝えることができる。
【００２９】
また、モルタル３を介在させない従来の構造と相違して、木杭１にコンクリート杭２を接合して打ち込むときに、木杭１の上端面１０にかかるコンクリート杭２による荷重が偏ってしまうことがなく、下部側の木杭１が地中で斜めに傾いてしまうことを防止できる。これにより、木杭１は耐圧力が十分に発揮できるので、基礎用杭Ａ１全体としての耐圧力も高くなる。
【００３０】
基礎用杭Ａ１を地中に打ち込んだ後、コンクリート杭２の下端面２３とモルタル３の上下端面及び木杭１の上端面１０が互いに密着した状態でモルタル３が固化すれば、木杭１の上端面１０にはほぼ均等に荷重がかかる。
これにより、基礎施工後に基礎用杭Ａ１に構造物の大きな荷重がかかっても、木杭１の上端面１０が変形しにくく、木杭１の変形により施工後比較的早い段階で基礎の傾きや沈下が起こることを防止できる。
【００３１】
図４は本発明に係る基礎用杭の第２の実施の形態を構成するコンクリート杭の下端部の構造を示す要部斜視図である。
なお、図において、上記基礎用杭Ａ１と同一箇所には同一の符号を付して示しており、構造について重複する説明は省略する。
本実施の形態に係る基礎用杭Ａ２は、コンクリート杭２ａの管体２１ａの構造のみが上記第１の実施の形態に係るコンクリート杭２の管体２１と異なっており、他の構造は同じである。
管体２１ａの直径は、本体２０より径小に形成されており、基端側の一部が本体２０の下端面２３に埋設されている。管体２１ａは、先端側を木杭１の上端面１０に打ち込むことができる強度と厚みを有している。
【００３２】
（作用）
図５は基礎用杭の第２の実施の形態の施工方法を示す説明図である。図５（ａ）は打ち込まれた木杭の上端面にモルタルを盛り、コンクリート杭を接合している状態を示しており、図５（ｂ）は両杭を接合して地面に打ち込んでいる状態を示している。
図４、図５を参照して、本実施の形態に係る基礎用杭Ａ２の作用を説明する。  上記基礎用杭Ａ１と同様に、基礎用杭Ａ２を構成する木杭１を上端部側が一部地面から出ている状態で打ち込む。
木杭１の上端面１０に適量のモルタル３を盛っておく（図５（ａ）参照）。
【００３３】
基礎用杭Ａ１と同様に、心棒２２を木杭１の挿入孔１１に挿入して（図５（ａ）参照）、管体２１ａの先端側を木杭１の上端面１０に打ち込み、コンクリート杭２ａを垂直に接合する。そして、同様にバイブレータで振動させながら、所要の深さまでコンクリート杭２ａを打ち込む（図５（ｂ）参照）。なお、図５（ｂ）では、モルタルが持ってある部分上に管体２１ａの先端側を打ち込んでおり、そのためモルタルが管体２１ａ外に若干はみ出した状態を示している。
【００３４】
基礎用杭Ａ２を地面に打ち込むときには、管体２１ａ内のコンクリート杭２ａの下端面２３とモルタル３の上下端面及び木杭１の上端面１０は互いに密着しており、しかも、管体２１ａ内に入ったモルタル３は実質的に密封されており、量が適当であれば外部へはほとんど流出することがない。これにより、コンクリート杭２ａの下端面２３と木杭１の上端面１０が平行でない場合でも、コンクリート杭２ａの下端面２３からの荷重をモルタル３を介して木杭１の上端面１０にほぼ均等に伝えることができる。
他の作用については、上記基礎用杭Ａ１と同様であるので、説明を省略する。
【００３５】
図６は本発明に係る基礎用杭の第３の実施の形態を構成するコンクリート杭の下端部の構造を示す要部分解斜視図である。
なお、図において、上記基礎用杭Ａ１と同一箇所には同一の符号を付して示しており、構造について重複する説明は省略する。
本実施の形態に係る基礎用杭Ａ３（図６では基礎用杭を構成する木杭を表していないが、便宜上、Ａ３の符号を付与している）は、コンクリート杭２ｂの流出防止具２１ｂの構造のみが上記第１の実施の形態に係るコンクリート杭２の管体２１と異なっており、他の構造は同じである。
【００３６】
流出防止具２１ｂは逆有底円筒形状で、本体２０とは別体に形成されている。流出防止具２１ｂの底部中心部には、心棒２２に嵌め入れる挿通孔２１０が設けられている。流出防止具２１ｂの円筒部の直径は、本体２０より径小に形成されている。
流出防止具２１ｂは、本体２０の下端面２３に接着等により固着される。また、流出防止具２１ｂは、先端側を木杭１の上端面１０に打ち込むことができる強度と厚みを有している。
【００３７】
基礎用杭Ａ３は、流出防止具２１ｂが後付けできるので、既存の一般的なコンクリート杭を使用することができる。
他の作用については、上記基礎用杭Ａ２とほぼ同様であるので、説明は省略する。
【００３８】
図７は本発明に係る基礎用杭の第４の実施の形態を構成するコンクリート杭の下端部の構造を示す要部斜視図である。
なお、図において、上記基礎用杭Ａ１と同一箇所には同一の符号を付して示しており、構造について重複する説明は省略する。
本実施の形態に係る基礎用杭Ａ４は、コンクリート杭２ｃの突刺部材２４の構造のみが上記第１の実施の形態に係るコンクリート杭２の心棒２２と異なっており、他の構造は同じである。
【００３９】
軸線を木杭と同軸線上に合わせる手段である突刺部材２４は、心棒２２より径小でかつ長さが短く、先端が鋭く尖らせて形成されている。突刺部材２４は、下端面２３の中心部の周りに等間隔で四箇所に、本体２０の軸線方向と平行に埋設されている。また、突刺部材２４は、下端面２３より突出した部分が、木杭１の上端面１０に突き刺さることができる強度を有している。
なお、本実施の形態においては、突刺部材として鉄製の丸棒が使用されているが、強度や耐久性が充分であれば他の材料を採用することもできる。また、突刺部材の本数は限定するものではない。
【００４０】
（作用）
図８は基礎用杭の第４の実施の形態の施工方法を示す説明図である。図８（ａ）は打ち込まれた木杭の上端面にモルタルを盛り、突刺部材を突き刺している状態を示しており、図８（ｂ）は両杭を接合して地面に打ち込んでいる状態を示している。
図７、図８を参照して、本実施の形態に係る基礎用杭Ａ４の作用を説明する。  上記基礎用杭Ａ１と同様に、基礎用杭Ａ４を構成する木杭１を上端部側が一部地面から出ている状態で垂直に打ち込む。
木杭１の上端面１０に適量のモルタル３を盛っておく（図８（ａ）参照）。
【００４１】
コンクリート杭２ｃを下降させて先端側から突刺部材２４を木杭１の上端面１０に突き刺し、管体２１を木杭１の上端部に、周りを削りながらややきつく嵌め入れてコンクリート杭２ｃを垂直に接合する。そして、上記基礎用杭Ａ１と同様にバイブレータで振動させながら、所要の深さまでコンクリート杭２ｃを打ち込む（図８（ｂ）参照）。
【００４２】
基礎用杭Ａ４は、木杭１の上端面１０に突刺部材２４を突き刺してコンクリート杭２ｃを接合するので、木杭１側に上記したような挿入孔１１を形成する必要がなく、手間が軽減できる。また、突刺部材２４を木杭１に突き刺しているので、木杭１とコンクリート杭２ｃは強固な連結力で固定される。
他の作用については、上記基礎用杭Ａ１と同様であるので、説明を省略する。
【００４３】
なお、本明細書で使用している用語と表現は、あくまで説明上のものであって限定的なものではなく、上記用語、表現と等価の用語、表現を除外するものではない。また、本発明は図示されている実施の形態に限定されるものではなく、技術思想の範囲内において種々の変形が可能である。
【００４４】
【発明の効果】
本発明は上記構成を備え、次の効果を有する。
（ａ）基礎用杭は、木杭とコンクリート杭の軸線方向が同じになるので、基礎用杭を地面に打ち込むときには、コンクリート杭の下端面と木杭の上端面が平行でない場合でも、木杭やコンクリート杭が地中で斜めに傾いてしまうことを防止でき、基礎用杭を地面に対しほぼ垂直に打ち込むことができる。
【００４５】
（ｂ）管体または流出防止具によって、充填材が充填部から流出するのを防止することができるので、コンクリート杭の下端面からの荷重を充填材を介して木杭の上端面にほぼ均等に伝えることができる。これにより、充填材を介在させない従来の構造と相違して、木杭にコンクリート杭を連結または相互に結合して打ち込むときに、木杭の上端面にかかるコンクリート杭による荷重が偏ってしまうことがなく、木杭やコンクリート杭が地中で斜めに傾いてしまうことを防止できる。
【００４６】
（ｃ）基礎用杭を地中に打ち込んだ後も、コンクリート杭の下端面と充填材の上下端面及び木杭の上端面は互いに密着し、木杭の上端面にはほぼ均等に荷重がかかるので、基礎施工後に構造物の大きな荷重がかかっても、木杭の上端面が変形しにくい。これにより、木杭の変形による、施工後比較的早い段階で基礎の傾きや沈下が起こることを防止できる。
【００４７】
（ｄ）木杭とコンクリート杭の軸線を連結部または結合部において同軸線上に合わせることができるので、基礎用杭を地面に打ち込むときに、相互の位置がずれない。これにより施工がより確実にできる。
【００４８】
（ｅ）充填材は、最初は流動性があり、後に硬化または固化するものであるので、充填するときの作業性に優れ、充填材がコンクリート杭の下端面と木杭の上端面に馴染みやすい。また、充填材が硬化または固化した後の耐圧力性に特に優れており、基礎用杭としての性能を長期にわたり維持することができる。
【図面の簡単な説明】
【図１】  本発明に係る基礎用杭の第１の第１の実施の形態を示す分解斜視図。
【図２】  図１に示す基礎用杭を構成するコンクリート杭の下端部の構造を示す要部斜視図。
【図３】  図１に示す基礎用杭の施工方法を示す説明図。
【図４】  本発明に係る基礎用杭の第２の実施の形態を構成するコンクリート杭の下端部の構造を示す要部斜視図。
【図５】  基礎用杭の第２の実施の形態の施工方法を示す説明図。
【図６】  本発明に係る基礎用杭の第３の実施の形態を構成するコンクリート杭の下端部の構造を示す要部分解斜視図。
【図７】  本発明に係る基礎用杭の第４の実施の形態を構成するコンクリート杭の下端部の構造を示す要部斜視図。
【図８】  基礎用杭の第４の実施の形態の施工方法を示す説明図。
【図９】  従来の木杭とコンクリート杭からなる基礎用杭の施工状態を示す説明図。
【符号の説明】
Ａ１  基礎用杭
１  木杭
１０  上端面
１１  挿入孔
２  コンクリート杭
２０  本体
２１  管体
２２  心棒
２３  下端面
Ａ２  基礎用杭
２ａ  コンクリート杭
２１ａ  管体
Ａ３  基礎用杭
２ｂ  コンクリート杭
２１ｂ  流出防止具
２１０  挿通孔
Ａ４  基礎用杭
２ｃ  コンクリート杭
２４  突刺部材
【図１】
0003883413.tif 000002
【図２】
0003883413.tif 000003
【図３】
0003883413.tif 000004
【図４】
0003883413.tif 000005
【図５】
0003883413.tif 000006
【図６】
0003883413.tif 000007
【図７】
0003883413.tif 000008
【図８】
0003883413.tif 000009
【図９】
0003883413.tif 000010